(57)【要約】【課題】雨戸面を複数枚の羽根板で構成し、その円滑な回転操作性の確保と、経済性に於いては在来雨戸との互換性を有する雨戸とする。【解決手段】回転伝達部材と連結部材を夫々２枚１組とし回転変換部材の両側に左右均等に配置し、各段においてピン接合することにより，操作時の作用応力を分散し、これらの部材寸法の縮小化を可能とし、また、捩れ応力の発生を避け、また、バネの設置によって，安定した操作性と耐久性を可能とする。羽根板の全体形状はＴ型とし、風圧力に対する強度を確保し、また、上下羽根板の重なりにより水切り機能も確保する。羽根板開閉雨戸の枠材寸法は在来雨戸と同じとし、その枠材に操作機構を内蔵すると共に、操作取手は折たたみ形式として、アミ戸やアルミサッシ戸との配置間隔を確保し、在来雨戸との互換性を可能とする。【選択図】  図１
2006132254.tif 000002
【特許請求の範囲】
【請求項１】
雨戸面を、水平軸に関して回転操作可能な複数枚の羽根板により構成し、一枚の雨戸の中央部に設けた中央縦枠（１）に取り付けた操作取手（4）の上下移動操作により、内外スライド部材（６，７）を介して取手連動部材（９）を上下移動させ、取手連動部材（９）及び回転伝達部材（13）を回転変換部材（10）と夫々ピン（回転自由）接合として結合することにより、回転変換部材（10）は取手連動部材（９）と連動した上下移動とともに、ピン接合材−１（１５）を回転中心とする回転移動を起こし、回転伝達部材（13）の一端であるピン接合材−２（１６）を、回転芯棒（１１ａ）を回転中心とする回転移動に変換し、回転芯棒（１１ａ）及び緊結した羽根板（３）を回転させる羽根板開閉雨戸。
【請求項２】
回転羽根板の上下端と、回転変換部材（10）が配置された上下の羽根板位置等において、中央縦枠（１）内の回転芯棒（１１ａ）とピン接合材−２（１６）の部材間に、羽根板重量を相殺するためのバネ（１９）を設置し、羽根板面が水平角度に近い状態における取手結合部材（８）への負担重量を軽減し、また、羽根板面傾斜角度設定時の円滑な操作性を高める、請求項１に記載の羽根板開閉雨戸。
【請求項３】
羽根板の材質は、室外側は暴風雨に対処し得る強度と防錆性能を有するアルミ等金属材とし、室内側は断熱性及び天然材による柔らかな視覚性・触感性を追及し、竹又は木の集成材により構成する、請求項１に記載の羽根板開閉雨戸。
【請求項４】
羽根板の形状は、室外側のアルミ等金属材にＴ型の突起を設けることにより、強風に対する羽根板の曲げ及びせん断強度の増大を計ると共に、上下羽根板同士の重なりによる、水切り機能を確保し、また、軽量化による羽根板の回転操作性の向上のため竹又は木の集成材を中空とする、請求項１に記載の羽根板開閉雨戸。
【請求項５】
上下端の羽根板は、羽根板面閉鎖時での回転羽根板との気密性の高い納まりとするために固定とし、上下端の固定羽根板寸法の調整と中間の回転羽根板枚数の調整により建具全体寸法を調整し、また、羽根板面角度調整用の操作取手（４）を折りたたみ形式とすることにより、既存建具（アミ戸・アルミサッシ戸）との間隔を確保し、新規羽根板開閉雨戸の設置は基より、現状の建具枠のままでの既存設置雨戸との取替えが可能な、請求項１，２，３，４に記載の羽根板開閉雨戸。
【発明の詳細な説明】
【技術分野】
【０００１】
本発明は、雨戸面を水平軸に関して回転操作可能な複数枚の羽根板により構成し、羽根板の回転操作を行うことにより、羽根板面閉鎖時は従来の雨戸と同様に暴風・暴雨に対処すると共に、羽根板面傾斜角度設定時には、室外において直射日光を遮断することにより、室内における断熱効果を高め、また、間接採光・通風・目隠しの効果を得ることを目的とする羽根板開閉雨戸に関する。
【背景技術】
【０００２】
現在一般に使用されている鉄板固定の雨戸は、暴風・暴雨にのみ対応するものであり、雨戸閉鎖時には、間接採光・通風に対応できない。
特許文献１に可動式ルーバー雨戸が提案され、図６には可動式ルーバー雨戸の回動操作機構として、「複数のルーバーと各ルーバーの支軸と支軸を連結する連結回動板とにより、ルーバーに取り付いた操作レバーを回動させることにより、各ルーバーを任意の角度に回動する。」解説図が示され、また、「回動操作機構は、歯車状の軸と軸の連結板を設け、各ルーバーと軸を操作レバーにより回動させる等にして一斉に任意の角度に開閉させる等いろいろの方法を用いることができる。」とされるものがある。
特許文献２にルーバー回動装置が提案され、図５にルーバー回動ユニットの解説図が示され、扉枠に取り付けたスライド部材の上下移動操作により、スライド部材に取り付けたカム板のＪ溝に沿って伝達ピンを移動させ、これにより連結板を上下動させ、複数個のルーバーを同時に回動させるものがある。
特許文献３にルーバー回動装置が提案され、図５、図９にルーバー回動ユニットの解説図が示され、扉枠に取り付けたスライド部材の上下移動操作により、スライド部材のラックギアにより、ルーバーに連結するピニオンキャップを回転させ、これにより連結板を上下動させ、複数個のルーバーを同時に回動させるものがある。
【特許文献１】特開２０００−１９２７５６号公報
【特許文献２】特開２００３−２９３６６６号公報
【特許文献３】特開２００４−５２３８６号公報
【発明の開示】
【発明が解決しようとする課題】
【０００３】
西面等に設置されている開口部の夏期の使用状況に於いて、強い日差しを遮るため、外部にスダレを取り付ける場合が多いが、遮光・断熱とも充分なものではなく、暴風時には取り外して雨戸を閉鎖する必要があり、また、雨戸やシャッターを閉め切ることにより、強い日射に対処するが、室内への採光は完全に遮断され、また通風も閉ざされてしまう。
特許文献１の可動式ルーバー雨戸の回動操作機構は「歯車状の軸と軸の連結板を設け、各ルーバーと軸を操作レバーにより回動させる等にして一斉に任意の角度に開閉させる等いろいろの方法を用いることができる。」と記述されているが、歯車状の軸と連結板の関係を具体的に示す図面が掲載されておらず、製作可能な状態までの提案がなされていない。また、操作レバーが直接ルーバーに取り付いているため、ルーバーの角度によっては、室内側に突出してしまい安全性に問題がある。
特許文献２のルーバーの回動操作における連結板を作動させる伝達ピンは、ルーバー中心軸にあるビスを中心にアームに設けたピンと同じく円軌道に沿って移動する必要があるが、図５に示すカム板のＪ溝はスライド部材側の元部分が直線状となっており、伝達ピンの移動は困難である。
特許文献３のルーバーの回動操作はラックギアとピニオンキャップの噛み合わせによって行われており、歯車同士の円滑な操作性と歯車の耐磨耗性に問題がある。
また、上記特許文献１，２，３に挙げた発明例は、全て新規に設置する可動式ルーバー雨戸であり、既存設置雨戸との互換性が考慮されてなく、既存建物に設置するには、建具枠を含む全ての取替えが必要であり、経済的に問題がある。
【課題を解決するための手段】
【０００４】
羽根板の回転操作の課題に対して、本発明では回転変換部材（10）を用いる方法とした。すなわち、図１１、図１２、図１５、図１６に示すように、中央縦枠（１）に設置した操作取手（4）の上下移動操作により、内外スライド部材（６，７）を介して取手連動部材（９）を連動させる。取手連動部材（９）及び回転伝達部材（13）は、回転変換部材（10）と夫々ピン（回転自由）接合により結合する。これにより、回転変換部材（10）は取手連動部材（９）と連動した上下移動とともに、ピン接合材−１（１５）を回転中心とする回転移動を起こし、回転伝達部材（13）の一端であるピン接合材−２（１６）を、回転芯棒（１１ａ）を回転中心として回転移動を生じさせ、回転芯棒（１１ａ）及び緊結した羽根板（３）を回転させるものである。
【０００５】
既存設置雨戸との互換性という課題に対し、上下端の固定羽根板の寸法調整と、中間の回転羽根板枚数の調整により建具全体寸法の調整を行ない、また、羽根板角度調整用の操作取手（4）を折りたたみ形式とすることにより、既存建具（アミ戸・アルミサッシ戸）との間隔を確保し、図３のように、新規羽根板開閉雨戸の設置は基より、現状の建具枠のままでの既存従来型雨戸との取替えを可能とする。
【発明の効果】
【０００６】
本発明は、夏期の住宅環境に主眼をおいた雨戸で、雨戸面を水平軸に関して回転操作可能な複数枚の羽根板により構成し、この羽根板を自在な角度に回転させ、その角度を保持することにより、羽根板面閉鎖時は従来の雨戸と同様に暴風・暴雨に対処すると共に、羽根板面傾斜設定時には、間接採光は可能としたままで、室外において直射日光を遮断し、室内における断熱効果を高めることができる。このため、建物の西面等に開口を設けることに関し、夏期の強い日射を憂慮することなく設置できる。
【０００７】
本発明の羽根板の材質は、室外側は暴風雨に対処し得る強度と防錆性能を有するアルミ等金属材とし、室内側は断熱性及び天然材による柔らかな視覚性・触感性を追及し、竹又は木による集成材を使用するため、優れた内装材となる。また、羽根板の形状は、図８に示すように金属材にＴ型の突起を設けることにより、強風に対する羽根板の曲げ及びせん断強度の増大を計るとともに、上下羽根板同士の重なりにより、水切り効果を確保するものである。
【０００８】
上下端の羽根板は、羽根板面閉鎖時での回転羽根板との気密性の高い納まりとするため固定とし、上下端の固定羽根板寸法の調整と中間の回転羽根板枚数の調整により建具全体寸法を調整し、また、羽根板角度調整用の操作取手を折りたたみ形式とすることにより、既存建具（アミ戸・アルミサッシ戸）との間隔を確保し、新規羽根板開閉雨戸の設置は基より、現状の建具枠のままでの既存設置雨戸との取替えが可能である。
【０００９】
一枚の雨戸の中央部に中央縦枠を設け、羽根板を中央縦枠の左右に配置して、羽根板支持間隔を、中央縦枠を設けない場合の半分とすることにより、同じ断面性能を有する羽根板と比較した場合の、暴風時の撓み量を１６分の１と少なくすることができる。これにより、アルミ等金属材により製作する外側羽根板厚を薄くすることができる。
【００１０】
本発明の羽根板開閉雨戸とアミ戸及びアルミサッシ戸とを組み合わせて使用することにより、各々の建具の利点を活かし、室外での直射日光の遮断による断熱・間接採光・通風・目隠し・防虫の機能を併せ持つことができる。
【００１１】
本発明はブラインド又はカーテン（目隠し）等の役割を併せ持つため、それらの設置は不要となる。
【発明を実施するための最良の形態】
【００１２】
水平軸に関して回転操作可能な複数枚の羽根板（３）により雨戸面を構成し、一枚の雨戸の中央部の縦枠に取り付けた操作取手（４）の上下移動操作により、回転変換部材（１０）を介して羽根板を回転させるもので、円滑な操作性を可能とするためスライド部材には転棒（２３）及び転球（２４）を設置すると共に、羽根板重量を相殺するために回転芯棒部（１１ａ）とピン接合材−２（１６）の部材間に数個のバネ（１９）を設置する。羽根板（３）は強度と視覚性及び触感性のため、室外側をアルミ等金属材とし、室内側は竹又は木の集成材により作製する。また、既存設置雨戸との互換性を持たせるものである。以下、順に説明する。
【００１３】
図９に示す、回転伝達部材（13）は回転芯棒（１１ａ）と溶接接合により一体とする。
【００１４】
図１２に示す、内スライド部材（６）と取手結合部材（８）及び取手連動部材（９）は溶接接合により一体とし、操作取手（4）は、外スライド部材（７）を中央縦枠（１）に添わせて挟み込み、取手結合部材（８）とピン接合材−４（１８）によりピン（回転自由）接合として結合することにより、折りたたみ形式とし、操作取手（4）の上下移動操作により、取手連動部材（９）を上下に連動させる。
【００１５】
取手連動部材（９）及び回転伝達部材（13）は、回転変換部材（10）と夫々ピン（回転自由）接合により結合する。これにより、回転変換部材（10）は図１２、図１５、図１６に示すように、取手連動部材（９）と連動した上下移動とともに、ピン接合材−１（１５）を回転中心とする回転移動を起こし、回転伝達部材（13）の一端であるピン接合材−２（１６）に、回転芯棒（１１ａ）を回転中心とする回転移動を生じさせ、回転芯棒（１１ａ）及び緊結した羽根板（３）を回転させる。
【００１６】
各回転伝達部材（13）を、ピン（回転自由）接合として連結部材（14）と連結することにより、水平軸に関して回転する複数枚の羽根板面全体を同じ角度に回転操作する。
【００１７】
図２０、図２１に示すように、操作取手（４）の下部にはストッパー（５）を設け、ストッパーの回転によるネジ締めにより、羽根板面を自在な角度で固定する。
【００１８】
内スライド部材（６）には図２２の（ａ）、（ｂ）に示す転棒（２３）を、また、外スライド部材（７）には、図２４に示す転球（２４）を埋め込み配置し、上下移動操作を円滑にする。また、転棒（２３）は取手結合部材（８）の取り付け及び移動のための枠材の開口部（枠材欠損）に対し、羽根板角度設定時で特に鉛直角に近い状態での風圧力による室内側縦枠材（１ｃ）への作用水平力を、内スライド部材（６）により開口端位置に集中することを避け、室内側縦枠材（１ｃ）全体に分散させる役割も果たす。
【００１９】
図１、図１４に示すように、中央縦枠（１）内の回転羽根板の上下端と、回転変換部材（10）が配置された上下の羽根板位置等において、回転芯棒（１１ａ）とピン接合材−２（１６）の部材間には、羽根板重量を相殺するため、図１９に示すバネ（１９）を設置し、羽根板面が水平角度に近い状態における取手結合部材（８）への負担重量を軽減し、また、羽根板面傾斜角度設定時の円滑な操作性を高める。
【００２０】
羽根板の材質は、室外側は暴風雨に対処し得る強度と防錆性能を有するアルミ等金属材とし、室内側は断熱性及び天然材による柔らかな視覚性・触感性を追及し、竹又は木の集成材を使用し、優れた内装材とする。
【００２１】
羽根板の形状は、図８ａに示すように室外側のアルミ等金属材にＴ型の突起を設け、風圧に対する羽根板の曲げ及びせん断強度の増大を計るとともに、上下羽根板同士の重なりにより、水切り機能を確保する。また、軽量化による回転操作性向上のため竹又は木の集成材を中空とする。
【００２２】
図１に示すように、上下端の羽根板は、羽根板面閉鎖時での回転羽根板との気密性の高い納まりとするために固定とし、上下端の固定羽根板寸法の調整と中間の回転羽根板枚数の調整により建具全体寸法を調整し、また、図１３に示すようにピン接合材−４（１８）によりピン（回転自由）接合として結合することにより、羽根板角度調整用の操作取手（４）を折りたたみ形式とし、図３の（ａ）、（ｂ）、（ｃ）に示すように既存建具（アミ戸・アルミサッシ戸）との間隔を確保し、新規羽根板開閉雨戸の設置は基より、現状の建具枠のままでの既存設置雨戸との取替えが可能である。
【００２３】
羽根板開閉雨戸は、従来雨戸と同様に引き込み形式とし、また戸車・ロックも従来雨戸の方式を踏襲するもので、図４に示すように戸袋に収納することにより、夏期の雨あがり時の室内乾燥は基より、冬期に於いては室内への自然採光が可能である。
【００２４】
製作に関して、図７に示すように、羽根板回転操作機構を内蔵する中央縦枠（１）は３部材より、端部縦枠（２）は２部材より構成し、中央縦枠では、まず枠材１ａ、１ｂに回転伝達部材（１３）と連結部材（１４）及び回転変換部材（１０）を結合した回転芯棒（１１ａ）を組み込み、次に回転変換部材（１０）と取手連動部材（９）を接合し、枠材１ｃの内側に取手連動部材（９）と取手結合部材（８）を結合した内スライド部材（６）をあてがいながら、外スライド部材（７）と操作取手（４）をピン接合材−４（１８）により組み立てる。端部縦枠（２）では回転芯棒（１１ｂ）を組み込み２ａ、２ｂを組み立てる。
【図面の簡単な説明】
【００２５】
【図１】中央縦枠部での羽根板回転操作のための各部材配置及び連結状況を示す断面図
【図２】図２ａは羽根板面水平角度時の、図２ｂは羽根板面４５度角度時の、図２ｃは羽根板面鉛直角度時の操作状態における操作取手及び回転変換部材の操作イメージ図
【図３】図３ａは羽根板面水平角度時の、図３ｂは羽根板面４５度角度時の、図３ｃは羽根板面鉛直角度時の、羽根板開閉雨戸とアミ戸及びアルミサッシ戸の位置関係を示す縦断面図
【図４】外観姿図
【図５】内観姿図
【図６】羽根板端部と回転芯棒の納まり、及び、回転芯棒と中央縦枠及び端部縦枠との納まり図
【図７】図６のＡ−Ａ断面図
【図８】図８ａは図６のＢ−Ｂ位置における羽根板構成部材の断面を示し、図８ｂは図６のＣ−Ｃ位置における羽根板構成部材間の結合部及び回転芯棒との結合部を示す断面図
【図９】図９ａは回転芯棒と回転伝達部材及びピン接合材との納まり図で、図９ｂはその斜視図
【図１０】操作取手部の斜視図
【図１１】図１１ａは操作取手、内スライド部材、取手連動部材、回転変換部材、回転芯棒、回転伝達部材、連結部材の関連を示す斜視図であり、図１１ｂは回転変換部材の位置を特記した斜視図
【図１２】中央縦枠部における操作取手と回転変換部材の羽根板面水平角度時の操作状況を示す縦断面図
【図１３】図１２のＡ−Ａ断面図
【図１４】図１２のＢ−Ｂ断面図
【図１５】図１２の状態から羽根板面４５度角度の状態への操作状況説明図
【図１６】図１５の状態から羽根板面鉛直角度の状態への操作状況説明図
【図１７】図１６のＡ−Ａ断面図
【図１８】図１６のＢ−Ｂ断面図
【図１９】バネの形状図
【図２０】操作取手とストッパーの断面図
【図２１】図２０のＡ−Ａ断面図
【図２２】図２２ａは内スライド部材と転棒の形状図であり、図２２ｂはそのＡ−Ａ断面図
【図２３】中央縦枠の、内外スライド部材及びストッパーの取り付く部分の形状図
【図２４】外スライド部材の形状図
【符号の説明】
【００２６】
１  中央縦枠
２  端部縦枠
３  羽根板（２０ａと２０ｂにより構成する）
４  操作取手
５  ストッパー
６  内スライド部材
７  外スライド部材
８  取手結合部材
９  取手連動部材
１０  回転変換部材
１１ａ中央縦枠部の回転芯棒
１１ｂ端部縦枠部の回転芯棒
１２  羽根板と回転芯棒のネジ緊結部
１３  回転伝達部材
１４  連結部材
１５  ピン接合材−１（取手連動部材と回転変換部材の接合部）
１６  ピン接合材−２（回転変換部材と回転伝達部材と連結部材との接合部）
１７  ピン接合材−３（回転伝達部材と連結部材の接合部）
１８  ピン接合材−４（取手結合部材と操作取手の接合部）
１９  バネ
２０ａ  アルミ等金属材による室外側の羽根板構成部材
２０ｂ  竹又は木の集成材による室内側の羽根板構成部材
２１  アルミ等金属材と竹又は木の集成材の結合部
２２  クッション材
２３  転棒
２４  転球
２５  アミ戸
２６  アルミサッシ戸
２７  戸袋
【図１】
2006132254.tif 000003
【図２】
2006132254.tif 000004
【図３】
2006132254.tif 000005
【図４】
2006132254.tif 000006
【図５】
2006132254.tif 000007
【図６】
2006132254.tif 000008
【図７】
2006132254.tif 000009
【図８】
2006132254.tif 000010
【図９】
2006132254.tif 000011
【図１０】
2006132254.tif 000012
【図１１】
2006132254.tif 000013
【図１２】
2006132254.tif 000014
【図１３】
2006132254.tif 000015
【図１４】
2006132254.tif 000016
【図１５】
2006132254.tif 000017
【図１６】
2006132254.tif 000018
【図１７】
2006132254.tif 000019
【図１８】
2006132254.tif 000020
【図１９】
2006132254.tif 000021
【図２０】
2006132254.tif 000022
【図２１】
2006132254.tif 000023
【図２２】
2006132254.tif 000024
【図２３】
2006132254.tif 000025
【図２４】
2006132254.tif 000026
【手続補正書】
【提出日】平成17年6月22日(2005.6.22)
【手続補正１】
【補正対象書類名】特許請求の範囲
【補正対象項目名】全文
【補正方法】変更
【補正の内容】
【特許請求の範囲】
【請求項１】
雨戸面を、水平軸に関して回転操作可能な複数枚の羽根板により構成し、一枚の雨戸の中央部に設けた中央縦枠（１）に取り付けた操作取手（４）の上下移動操作により、内外スライド部材（６），（７）を介して取手連動部材（９）を上下移動させ、この取手連動部材と回転変換部材（１０）の一端を回転に対して自在な接合方法であるピン接合とし、回転変換部材の他端は多段配置された回転芯棒（１１ａ）に溶接接合せれた一対の回転伝達部材（１３）と回転伝達部材の両側に均等に配置された連結部材（１４）とをピン接合することにより、回転変換部材は取手連動部材と連動した上下移動とともに、取手連動部材側のピン接合材−１（１５）を回転中心とする回転移動を起こし、回転伝達部材の一端であるピン接合材−２（１６）を介して回転伝達部材を、回転芯棒を回転中心とする回転移動に変換し、回転芯棒とネジ締めにより緊結した羽根板（３）を回転させるものであり、多段配置された回転伝達部材と連結部材は一対の部材として回転芯棒の支持点位置に対して左右均等に配置し各段においてピン接合することにより、操作時の作用応力を分散し、これらの部材寸法を縮小化するとともに、複数枚の羽根板面全体を同じ角度に回転操作する羽根板開閉雨戸。
【請求項２】
縦枠内に操作機構を内蔵しているが、羽根板の回転中心である回転芯棒（１１ａ）が枠芯に対して室外側に偏心して取り付くため、羽根板面が水平角度に近い状態において、羽根板の重量は回転芯棒位置に対して室内の操作取手側が重くなっているため、回転羽根板の上下端と回転変換部材（１０）が配置された上下の羽根板位置を標準位置として、回転芯棒と、この回転芯棒を中心に回転する左右一対の回転伝達部材（１３）と連結部材（１４）を接合する部材で、回転芯棒を中心として回転するピン接合材−２（１６）との部材間にバネ（１９）を設置し、ピン接合材−２を押し上げる方向に作用させることにより、操作部にかかる重量を軽減し、羽根板面の傾斜角度設定時の円滑な操作性を高める、請求項１に記載の羽根板開閉雨戸。
【請求項３】
羽根板の形状は、アルミ等金属材に羽根板面鉛直角度時に室内側に羽根板に対して直角となる水平材を設け、羽根板全体の形状をＴ型とし、強風に対する羽根板の曲げ強度及びせん断強度の増大を計ると共に、上記水平材を挟んで上下の羽根板同士の重なりによる水切り機能を確保する、請求項１に記載の羽根板開閉雨戸。
【請求項４】
上下端の羽根板部分は、羽根板面鉛直時での回転羽根板の納まりと同様とするため、羽根板または羽根板の部分材を鉛直方向に固定配置し、その上下端固定部寸法の調整と中間の回転羽根板枚数の調整により建具全体寸法の調整を容易にし、枠材寸法は在来雨戸と同等とし、また、操作取手（４）を折りたたみ形式とすることにより、アミ戸またはアルミサッシ戸との配置間隔を確保し、新規羽根板開閉雨戸の設置は基より、現状の建具枠のままでの在来雨戸との互換性を備えた、請求項１に記載の羽根板開閉雨戸。
【手続補正２】
【補正対象書類名】明細書
【補正対象項目名】全文
【補正方法】変更
【補正の内容】
【発明の詳細な説明】
【技術分野】
【０００１】
本発明は、雨戸面を水平軸に関して回転操作可能な複数枚の羽根板により構成し、羽根板の回転操作を行うことにより、羽根板面閉鎖時は従来の雨戸と同様に暴風・暴雨に対処すると共に、羽根板面傾斜角度設定時には、室外において直射日光を遮断することにより、室内における断熱効果を高め、また、間接採光・通風・目隠しの効果を得ることを目的とする羽根板開閉雨戸に関する。
【背景技術】
【０００２】
現在一般に使用されている鉄板固定の雨戸は、暴風・暴雨にのみ対応するものであり、雨戸閉鎖時には、間接採光・通風に対応できない。
特許文献１に可動式ルーバー雨戸が提案され、図６には可動式ルーバー雨戸の回動操作機構として、「複数のルーバーと各ルーバーの支軸と支軸を連結する連結回動板とにより、ルーバーに取り付いた操作レバーを回動させることにより、各ルーバーを任意の角度に回動する。」解説図が示され、また、「回動操作機構は、歯車状の軸と軸の連結板を設け、各ルーバーと軸を操作レバーにより回動させる等にして一斉に任意の角度に開閉させる等いろいろの方法を用いることができる。」とされるものがある。
特許文献２にルーバー回動装置が提案され、図５にルーバー回動ユニットの解説図が示され、扉枠に取り付けたスライド部材の上下移動操作により、スライド部材に取り付けたカム板のＪ溝に沿って伝達ピンを移動させ、これにより連結板を上下動させ、複数個のルーバーを同時に回動させるものがある。
特許文献３にルーバー回動装置が提案され、図５、図９にルーバー回動ユニットの解説図が示され、扉枠に取り付けたスライド部材の上下移動操作により、スライド部材のラックギアにより、ルーバーに連結するピニオンキャップを回転させ、これにより連結板を上下動させ、複数個のルーバーを同時に回動させるものがある。
【特許文献１】特開２０００−１９２７５６号公報
【特許文献２】特開２００３−２９３６６６号公報
【特許文献３】特開２００４−５２３８６号公報
【発明の開示】
【発明が解決しようとする課題】
【０００３】
西面等に設置されている開口部の夏期の使用状況に於いて、強い日差しを遮るため、外部にスダレを取り付ける場合が多いが、遮光・断熱とも充分なものではなく、暴風時には取り外して雨戸を閉鎖する必要があり、また、雨戸やシャッターを閉め切ることにより、強い日射に対処するが、室内への採光は完全に遮断され、また通風も閉ざされてしまう。
特許文献１の可動式ルーバー雨戸の回動操作機構は「歯車状の軸と軸の連結板を設け、各ルーバーと軸を操作レバーにより回動させる等にして一斉に任意の角度に開閉させる等いろいろの方法を用いることができる。」と記述されているが、歯車状の軸と連結板の関係を具体的に示す図面が掲載されておらず、製作可能な状態までの提案がなされていない。また、操作レバーが直接ルーバーに取り付いているため、ルーバーの角度によっては、室内側に突出してしまい安全性に問題がある。
特許文献２のルーバーの回動操作における連結板を作動させる伝達ピンは、ルーバー中心軸にあるビスを中心にアームに設けたピンと同じく円軌道に沿って移動する必要があるが、図５に示すカム板のＪ溝はスライド部材側の元部分が直線状となっており、伝達ピンの移動は困難である。
特許文献３のルーバーの回動操作はラックギアとピニオンキャップの噛み合わせによって行われており、歯車同士の円滑な操作性と歯車の耐磨耗性に問題がある。
また、上記特許文献１，２，３に挙げた発明例は、全て新規に設置する可動式ルーバー雨戸であり、既存設置雨戸との互換性が考慮されてなく、既存建物に設置するには、建具枠を含む全ての取替えが必要であり、経済的に問題がある。
【課題を解決するための手段】
【０００４】
羽根板の回転操作の課題に対して、本発明では回転変換部材（１０）を用いる方法とした。すなわち、図１１、図１２、図１５、図１６に示すように、中央縦枠（１）に設置した操作取手（４）の上下移動操作により、内外スライド部材（６），（７）を介して取手連動部材（９）を上下移動させ、この取手連動部材と回転変換部材（１０）の一端を回転に対して自在な接合方法であるピン接合とし、回転変換部材の他端は多段配置された回転芯棒（１１ａ）に溶接接合せれた一対の回転伝達部材（１３）と回転伝達部材の両側に均等に配置された連結部材（１４）とをピン接合することにより、回転変換部材は取手連動部材と連動した上下移動とともに、取手連動部材側のピン接合材−１（１５）を回転中心とする回転移動を起こし、回転伝達部材の一端であるピン接合材−２（１６）を介して回転伝達部材を、回転芯棒を回転中心とする回転移動に変換し、回転芯棒とネジ締めにより緊結した羽根板（３）を回転させるものであり、多段配置された回転伝達部材と連結部材は一対の部材として回転芯棒の支持点位置に対して左右均等に配置し各段においてピン接合することにより、操作時の作用応力を分散し、これらの部材寸法を縮小化するとともに、複数枚の羽根板面全体を同じ角度に回転操作するものである。
【０００５】
在来雨戸との互換性という課題に対し、上下端固定部寸法の調整と中間の回転羽根板枚数の調整により建具全体寸法の調整を容易にし、枠材寸法は在来雨戸と同等とし、また、操作取手（４）を折りたたみ形式とすることにより、アミ戸またはアルミサッシ戸との配置間隔を確保し、新規羽根板開閉雨戸の設置は基より、現状の建具枠のままでの在来雨戸との取替えが可能とする。
【発明の効果】
【０００６】
請求項１に記載の羽根板の回転操作では、図１１に示すように、多段配置された回転芯棒（１１ａ）に溶接接合せれた一対の回転伝達部材（１３）と回転伝達部材の両側に均等に配置された連結部材（１４）は、回転変換部材（１０）の両側に左右均等に配置することにより、操作時に偏心に伴う捩れ応力の発生を避け、安定した操作性と耐久性を可能とし、また、一対として操作時の応力を分散することにより、回転伝達部材及び連結部材の部品としてのサイズを小さくするとともに、これを内蔵する枠材寸法を小さくすることを可能とし、在来雨戸との互換性を可能にする。
【０００７】
請求項２に記載のバネの設置では、図１２、図１４、図１９に示すバネ（１９）を、回転芯棒（１１ａ）と、この回転芯棒を中心に回転する左右一対の回転伝達部材（１３）と連結部材（１４）を接合する部材で、回転芯棒を中心として回転するピン接合材−２（１６）との部材間に設置することにより、ピン接合材−２を押し上げる方向に作用させることにより、操作部にかかる重量を軽減し、羽根板面の傾斜角度設定時の円滑な操作性を高めることが可能となる。
【０００８】
請求項３に記載の羽根板の形状は、図８に示すようにアルミ等金属材に羽根板面鉛直角度時に室内側に羽根板に対して直角となる水平材を設け、羽根板全体の形状をＴ型とし、強風に対する羽根板の曲げ強度及びせん断強度の増大を計ると共に、図２（ｃ）に示すように、上記水平材を挟んで上下の羽根板同士の重なりによる水切り機能を確保することが可能となる。
【０００９】
請求項４に記載の在来雨戸との互換性について、上下端固定部寸法の調整と中間の回転羽根板枚数の調整により建具全体寸法の調整を容易にし、枠材寸法は在来雨戸と同等とし、また、操作取手（４）を折りたたみ形式とすることにより、アミ戸またはアルミサッシ戸との配置間隔を確保し、新規羽根板開閉雨戸の設置は基より、現状の建具枠のままでの在来雨戸との取替えが可能となる。
【００１０】
一枚の雨戸の中央部に中央縦枠を設け、羽根板を中央縦枠の左右に配置して、羽根板支持間隔を、中央縦枠を設けない場合の半分とすることにより、同じ断面性能を有する羽根板と比較した場合の、暴風時の撓み量を１６分の１と少なくすることができる。これにより、アルミ等金属材により製作する外側羽根板厚を薄くすることができる。  
【００１１】
本発明の羽根板開閉雨戸とアミ戸及びアルミサッシ戸とを組み合わせて使用することにより、各々の建具の利点を活かし、室外での直射日光の遮断による断熱・間接採光・通風・目隠し・防虫の機能を併せ持つことができ、また、本発明はブラインド又はカーテン（目隠し）等の役割を併せ持つため、それらの設置は不要となる。
【発明を実施するための最良の形態】
【００１２】
水平軸に関して回転操作可能な複数枚の羽根板（３）により雨戸面を構成し、一枚の雨戸の中央部の縦枠に取り付けた操作取手（４）の上下移動操作により、回転変換部材（１０）を介して羽根板を回転させるもので、円滑な操作性を可能とするためスライド部材には転棒（２３）及び転球（２４）を設置すると共に、操作時における羽根板重量を軽減するために回転芯棒部（１１ａ）とピン接合材−２（１６）の部材間に数個のバネ（１９）を設置する。羽根板（３）は強度と視覚性及び触感性のため、室外側をアルミ等金属材とし、室内側は竹又は木の集成材により作製する。また、在来雨戸との互換性を持たせるものである。以下、順に説明する。
【００１３】
図９に示す、回転伝達部材（１３）は回転芯棒（１１ａ）と溶接接合により一体とする。
【００１４】
図１２に示す、内スライド部材（６）と取手結合部材（８）及び取手連動部材（９）は溶接接合により一体とし、操作取手（４）は、外スライド部材（７）を中央縦枠（１）に添わせて挟み込み、取手結合部材（８）とピン接合材−４（１８）によりピン接合として結合することにより、折りたたみ形式とし、操作取手（４）の上下移動操作により、取手連動部材（９）を上下に連動させる。
【００１５】
取手連動部材（９）及び回転伝達部材（１３）は、回転変換部材（１０）と夫々ピン接合により結合する。これにより、回転変換部材（１０）は図１２、図１５、図１６に示すように、取手連動部材（９）と連動した上下移動とともに、ピン接合材−１（１５）を回転中心とする回転移動を起こし、回転伝達部材（１３）の一端であるピン接合材−２（１６）に、回転芯棒（１１ａ）を回転中心とする回転移動を生じさせ、回転芯棒（１１ａ）とネジ締めにより緊結した羽根板（３）を回転させる。
【００１６】
各回転伝達部材（１３）を、ピン接合として連結部材（１４）と連結することにより、水平軸に関して回転する複数枚の羽根板面全体を同じ角度に回転操作する。
【００１７】
図２０、図２１に示すように、操作取手（４）の下部にはストッパー（５）を設け、ストッパーの回転によるネジ締めにより、羽根板面を自在な角度で固定する。
【００１８】
内スライド部材（６）には図２２の（ａ）、（ｂ）に示す転棒（２３）を、また、外スライド部材（７）には、図２４に示す転球（２４）を埋め込み配置し、上下移動操作を円滑にする。また、転棒（２３）は取手結合部材（８）の取り付け及び移動のための枠材の開口部（枠材欠損）に対し、羽根板角度設定時で特に鉛直角に近い状態での風圧力による室内側縦枠材（１ｃ）への作用水平力を、内スライド部材（６）により開口端位置に集中することを避け、室内側縦枠材（１ｃ）全体に分散させる役割も果たす。
【００１９】
図１、図１４に示すように、中央縦枠（１）内の回転羽根板の上下端と、回転変換部材（１０）が配置された上下の羽根板位置において、回転芯棒（１１ａ）とピン接合材−２（１６）の部材間には、羽根板面が水平角度に近い状態における羽根板の回転操作時の重量を軽減するため、図１９に示すバネ（１９）を設置し、羽根板面傾斜角度設定時の円滑な操作性を高める。
【００２０】
羽根板の材質は、室外側は暴風雨に対処し得る強度と防錆性能を有するアルミ等金属材とし、室内側は断熱性及び天然材による柔らかな視覚性・触感性を追及し、竹又は木の集成材を使用し、優れた内装材とする。
【００２１】
羽根板の形状は、図８ａに示すように室外側のアルミ等金属材がＴ型となるように水平突起材を設け、風圧に対する羽根板の曲げ強度及びせん断強度の増大を計るとともに、上下羽根板同士の重なりにより、水切り機能を確保する。また、軽量化による回転操作性向上のため竹又は木の集成材を中空とする。
【００２２】
図１に示すように、上下端の羽根板は、羽根板面閉鎖時での回転羽根板と同じ水切り状態の納まりとするために固定とし、上下端の固定羽根板寸法の調整と中間の回転羽根板枚数の調整により建具全体寸法を調整し、また、図１３に示すようにピン接合材−４（１８）によりピン接合として結合することにより、羽根板角度調整用の操作取手（４）を折りたたみ形式とし、図３の（ａ）、（ｂ）、（ｃ）に示すようにアミ戸及びアルミサッシ戸との配置間隔を確保し、新規羽根板開閉雨戸の設置は基より、現状の建具枠のままでの在来雨戸との取替えが可能である。
【００２３】
羽根板開閉雨戸は、従来雨戸と同様に引き込み形式とし、また戸車・ロックも従来雨戸の方式を踏襲するもので、図４に示すように戸袋に収納することにより、夏期の雨あがり時の室内乾燥は基より、冬期に於いては室内への自然採光が可能である。
【００２４】
製作に関して、図７に示すように、羽根板回転操作機構を内蔵する中央縦枠（１）は３部材より、端部縦枠（２）は２部材より構成し、中央縦枠では、まず枠材１ａ、１ｂに回転伝達部材（１３）と連結部材（１４）及び回転変換部材（１０）を結合した回転芯棒（１１ａ）を組み込み、次に回転変換部材（１０）と取手連動部材（９）を接合し、枠材１ｃの内側に取手連動部材（９）と取手結合部材（８）を結合した内スライド部材（６）をあてがいながら、外スライド部材（７）と操作取手（４）をピン接合材−４（１８）により組み立てる。端部縦枠（２）では回転芯棒（１１ｂ）を組み込み２ａ、２ｂを組み立てる。
【図面の簡単な説明】
【００２５】
【図１】中央縦枠部での羽根板回転操作のための各部材配置及び連結状況を示す断面図
【図２】図２ａは羽根板面水平角度時の、図２ｂは羽根板面４５度角度時の、図２ｃは羽根板面鉛直角度時の操作状態における操作取手及び回転変換部材の操作イメージ図
【図３】図３ａは羽根板面水平角度時の、図３ｂは羽根板面４５度角度時の、図３ｃは羽根板面鉛直角度時の、羽根板開閉雨戸とアミ戸及びアルミサッシ戸の位置関係を示す縦断面図
【図４】外観姿図
【図５】内観姿図
【図６】羽根板端部と回転芯棒の納まり、及び、回転芯棒と中央縦枠及び端部縦枠との納まり図
【図７】図６のＡ−Ａ断面図
【図８】図８ａは図６のＢ−Ｂ位置における羽根板構成部材の断面を示し、図８ｂは図６のＣ−Ｃ位置における羽根板構成部材間の結合部及び回転芯棒との結合部を示す断面図
【図９】図９ａは回転芯棒と回転伝達部材及びピン接合材との納まり図で、図９ｂはその斜視図
【図１０】操作取手部の斜視図
【図１１】図１１ａは操作取手、内スライド部材、取手連動部材、回転変換部材、回転芯棒、回転伝達部材、連結部材の関連を示す斜視図であり、図１１ｂは回転変換部材の位置を特記した斜視図
【図１２】中央縦枠部における操作取手と回転変換部材の羽根板面水平角度時の操作状況を示す縦断面図
【図１３】図１２のＡ−Ａ断面図
【図１４】図１２のＢ−Ｂ断面図
【図１５】図１２の状態から羽根板面４５度角度の状態への操作状況説明図
【図１６】図１５の状態から羽根板面鉛直角度の状態への操作状況説明図
【図１７】図１６のＡ−Ａ断面図
【図１８】図１６のＢ−Ｂ断面図
【図１９】バネの形状図
【図２０】操作取手とストッパーの断面図
【図２１】図２０のＡ−Ａ断面図
【図２２】図２２ａは内スライド部材と転棒の形状図であり、図２２ｂはそのＡ−Ａ断面図
【図２３】中央縦枠の、内外スライド部材及びストッパーの取り付く部分の形状図
【図２４】外スライド部材の形状図
【符号の説明】
【００２６】
１    中央縦枠
２    端部縦枠
３    羽根板（２０ａと２０ｂにより構成する）
４    操作取手
５    ストッパー
６    内スライド部材
７    外スライド部材
８    取手結合部材
９    取手連動部材
１０    回転変換部材
１１ａ  中央縦枠部の回転芯棒
１１ｂ  端部縦枠部の回転芯棒
１２    羽根板と回転芯棒のネジ緊結部
１３    回転伝達部材
１４    連結部材
１５    ピン接合材−１（取手連動部材と回転変換部材の接合部）
１６    ピン接合材−２（回転変換部材と回転伝達部材と連結部材との接合部又は
バネを配置する箇所の回転伝達部材と連結部材の接合部）
１７    ピン接合材−３（回転伝達部材と連結部材の接合部）
１８    ピン接合材−４（取手結合部材と操作取手の接合部）
１９    バネ
２０ａ  アルミ等金属材による室外側の羽根板構成部材
２０ｂ  竹又は木の集成材による室内側の羽根板構成部材
２１    アルミ等金属材と竹又は木の集成材の結合部
２２    クッション材
２３    転棒
２４    転球
２５    アミ戸
２６    アルミサッシ戸
２７    戸袋